(57)【特許請求の範囲】
【請求項１】
防塵衣に取り付けるための防塵マスクであって、
発塵を防止するための防塵フィルタを有し、
前記防塵フィルタには、細かな目の密フィルタ部と、該密フィルタ部と連続するように形成され、前記密フィルタよりも粗い目の粗フィルタ部と、が設けられており、
前記密フィルタ部は、前記粗フィルタ部の中央部に取り付けられてなることを特徴とする防塵マスク。
【請求項２】
請求項１において、前記防塵衣に着脱可能に取り付けるための防塵衣取付手段が、前記防塵フィルタの周縁部に設けられてなることを特徴とする防塵マスク。
【請求項３】
請求項１又は請求項２において、前記防塵マスクの周縁部に前記防塵マスクの形状を保持するための補強枠部を有することを特徴とする防塵マスク。
【請求項４】
請求項２において、前記防塵衣取付手段は面ファスナであることを特徴とする防塵マスク。
【請求項５】
請求項１乃至請求項４のいずれか１項において、前記防塵マスクを取り付けたことを特徴とする防塵衣。
【発明の詳細な説明】
【０００１】
【発明の属する技術分野】
本発明は防塵マスク及びこれを用いた防塵衣に係り、特に、半導体、液晶表示体等を製造する工場のように高い清浄度の要求される室内で用いるのに好適な防塵マスク及び防塵衣の構造に関する。
【０００２】
【従来の技術】
従来、半導体工場等のクリーンルームにおいては、半導体等の微細な構造に塵埃が付着することを防止するために、人体そのものや着衣からの発塵を抑制するための防塵衣が使用されている。この防塵衣は、通常、人体の頭部から足部までをほぼ完全に覆うように構成されたものである。
【０００３】
防塵衣としては、人体の頭部から側部までの全体を覆うように一体に構成されたものや、頭部の上部のみを覆う帽子状のもの、頭部から首部までを覆うもの（頭部を完全に覆うようになっているもの）、上半身を覆うもの、下半身を覆うもの、下肢及び足部を覆うもの等、種々の態様のものが使用されている。
【０００４】
これらのうち、頭部を覆うように形成された頭部被覆部を備えた防塵衣には、頭部から首部までを覆うようになっているもの、頭部から胸部までを覆うようになっているもの、頭部から上半身全体を覆うようになっているもの、頭部から脚部までを一体的に覆うようになっているもの等、種々のものが考えられる。
【０００５】
これらの防塵衣の例としての防塵頭衣の形態を図８及び図９に示す。図８に示すものは、装着者の目に相当する部分に形成された開口部１０ａを備えた防塵頭衣１０である。この防塵頭衣１０を装着者が被ると、装着者の目のみが開口部１０ａにより露出し、目以外の顔面を覆うようになっている。この防塵頭衣では装着者の鼻や口から発生する塵埃、例えば、鼻汁、唾、皮膚片、化粧品その他のものを外部へ漏らさないように形成されている。
【０００６】
図９に示すものは、装着者の顔面のほぼ全体を露出するように構成された開口部１１ａを備えた防塵頭衣１１である。この防塵頭衣１１を装着者が被ると、開口部１１ａにより装着者の目、鼻、口及び顎部が露出するようになっており、装着者の露出した鼻及び口に相当する部分には、防塵頭衣の外側から防塵マスク１２を面ファスナ１２ａにより装着するようになっている。
【０００７】
面ファスナ１２ａに対し被着されるように対応して形成されたもう一方の図示しない面ファスナは、防塵頭衣１１における開口部１１ａの開口縁部の外面上に縫い付けられている。
【０００８】
【発明が解決しようとする課題】
ところが、上記従来の防塵頭衣１０においては、鼻及び口が防塵頭衣１０の生地に覆われており、その生地として、生地自体の発塵が少なく、身体から出た塵も外部へ洩らさないように高密度に織り上げられた防塵布を使用しているため、装着者が息苦しくなるという問題点がある。また、鼻及び口から口紅、分泌物等が防塵頭衣の生地に付着することがあり、その場合には防塵頭衣１０全体を洗濯する必要がある。
【０００９】
一方、防塵頭衣１１においては、防塵マスク１２を着脱自在に取付けているために洗濯や交換が容易であるが、開口部１１ａの開口面積が大きく、しかも防塵頭衣１１に対して防塵マスク１２が外側から装着されているため、鼻及び口から発生した塵埃が防塵マスク１２の下端から下方へと漏れる恐れがある。
【００１０】
さらに、上記防塵マスク１２に関しては、防塵マスク１２のマスク生地を高密度に織り上げると、装着者が息苦しくなり、マスク生地を低密度に織り上げると鼻や口から発生する塵埃が外部に漏れるというジレンマがある。
【００１１】
そこで本発明は上記問題点を解決するものであり、その課題は、発塵を抑制できるともに装着者の息苦しさを解消することが可能で、作業性の向上を図ることのできる新規の防塵マスク及びこれを備えた防塵衣を実現することにある。
【００１５】
【課題を解決するための手段】
本願発明は、発塵を防止するための防塵フィルタを有する防塵マスクであって、前記防塵フィルタは、細かな目の密フィルタ部と、該密フィルタ部と連続するように形成され、前記密フィルタよりも粗い目の粗フィルタ部と、が設けられており、前記密フィルタ部は、前記粗フィルタ部の中央部に取付けられてなることを特徴とする。
また、前記防塵衣に着脱可能に取り付けるための防塵衣取付手段が、前記防塵フィルタの周縁部に設けられてなることを特徴とする。
【００１７】
ここで、前記防塵フィルタには、前記防塵フィルタは、細かな目の密フィルタ部と、該密フィルタ部と連続するように形成され、前記密フィルタよりも粗い目の粗フィルタ部と、が設けられてなることが好ましい。
【００１８】
この手段によれば、密フィルタ部によって装着者の鼻孔及び口孔を被覆しているので、これらの部分からの発塵があっても塵埃の外部への漏洩を防止できるとともに、装着者の呼吸は密フィルタの両側に形成された粗フィルタを通して確保された通気性によって楽に行うことができる。したがって、高い防塵性と通気性とを両立できる防塵マスクを構成できる。
【００１９】
さらには前記密フィルタ部は、前記粗フィルタ部の中央部に重なるように取付けられてなることが好ましい。
【００２０】
この場合には、密フィルタ部の縁部と粗フィルタ部の縁部とを密閉性良く連続して繋ぎ合わせる必要がなく、密フィルタ部を粗フィルタ部の中央部に重ねた状態で固定するだけでよいため、製造が容易になる。
【００２１】
また、前記防塵マスクの周縁部に前記防塵マスクの形状を保持するための補強枠部を有することが好ましい。
【００２２】
この手段によれば、補強枠部によってマスク形状が保持されるため、防塵衣に対する着脱作業が容易になるとともに、防塵フィルタの周縁部の形状が崩れることによる塵埃の漏出を防止することができる。
【００２３】
さらに、前記防塵衣取付手段は面ファスナであることが好ましい。
【００２４】
この手段によれば、防塵マスクの防塵衣に対する着脱作業を容易に行うことができるとともに、この面ファスナは開口縁部の内側において厚さや面積を大きくとることがないため、装着感を損なうことなく設けることができる。
また、本発明の防塵衣は、前記防塵マスクを取り付けたことを特徴とする。
【００２５】
【発明の実施の形態】
次に、添付図面を参照して本発明に係る防塵マスク及び防塵衣の実施形態について説明する。
【００２６】
（第１実施形態）
図１は本実施形態における防塵衣と防塵マスクとを装着した状態を示す全体斜視図、図２は防塵マスクを装着していない防塵衣の状態を示す全体斜視図、図３は防塵マスクの正面図である。
【００２７】
本実施形態は、頭部を完全に覆うとともに首部をも被覆するように構成された防塵頭衣を例に構成したものである。当然のことながら、本発明自体はこのような防塵頭衣の他に、頭部から胸部までを覆うもの、頭部から上半身全体を覆うもの、頭部から脚部までを覆うもの等にも同様に適用できるものである。
【００２８】
この防塵頭衣は、クリーンルーム内で自から多くの塵埃を放散しないように形成された繊維によって織りあげられたものであり、繊維間の隙間を少なくすることによって防塵頭衣の内部の装着者の頭部及び首部等からの発塵を極力外部へ漏らさないように配慮されている。防塵頭衣は、頭部を被覆するための頭部被覆部５０と、首部、肩部及び上半身の一部を被覆するための首部被覆部６０とから構成されている。頭部被覆部５０の正面側には装着者の目、鼻及び口を露出するための矩形状の開口部５０ａが形成されている。
【００２９】
開口部５０ａの開口縁部の内側には、図２に示すように３カ所に面ファスナ５１，５２，５３が取り付けられている。この面ファスナ５１，５２，５３は、後述する防塵マスク２０に取り付けられた面ファスナに対して着脱自在になるように構成されている。防塵頭衣１１に取り付けられる面ファスナ５１，５２，５３は、人体に対する感触を良好にし、かつ肌荒れを防止するために雌型とすることが好ましく、これに対応して後述する防塵マスク２０に取り付けられた面ファスナは雄型とすることが好ましい。
【００３０】
一方、図３に示すように、防塵マスク２０は上記防塵頭衣の生地よりも通気性を向上させたメッシュ様の防塵フィルタ２１を備えており、この防塵フィルタもまた、自身の発塵を防止するような材質で形成されているとともに、装着者から出る塵埃を外部に極力漏らさないように細かい目を持つように織りあげられている。
【００３１】
防塵マスク２０の周縁部には、防塵フィルタ２１の端部で小径の樹脂製又は繊維質の軸材を包み込む様に縫い込んで形成された補強枠部２２が設けられている。この補強枠部２２は、防塵マスク２０の全体形状を保持するために設けられるものであり、この補強枠部２２によって内側の防塵フィルタ２１を伸張状態に張り渡している。補強枠部３２は防塵マスク２０をある程度撓ませることができる程度に柔軟性を備えていることが望ましい。
【００３２】
防塵マスク２０の外面（装着者の鼻や口に接触する面と反対の面）上の周縁部の３カ所には、面ファスナ２３，２４，２５が上記防塵フィルタ２１に縫い付けられることによって固着されている。この面ファスナ２３，２４，２５は、上記防塵頭衣の面ファスナ５１，５２，５３に対して着脱可能になっており、上述の通り雄型に形成されることが好ましい。
【００３３】
図１は上記防塵頭衣に防塵マスク２０を取り付けた状態を示すものである。この場合、防塵マスク２０は、防塵頭衣の内側から、開口部５０ａの開口縁部に取り付けられた図２に示す面ファスナ５１，５２，５３に面ファスナ２３，２４，２５を押し付けるようにして取り付けられる。
【００３４】
この実施形態においては、防塵頭衣に装着者の目、鼻及び口が露出するように形成された開口部を設けることによって、開口範囲を極力限定して装着者からの発塵を抑制することができるとともに、ある程度の通気性を備えた防塵マスク２０を防塵頭衣に対して着脱自在に構成していることによって、装着者の呼吸を楽にすることができるとともに、鼻や口に触れることによって汚れても容易に交換や洗濯を行うことが可能になり、衛生的に使用することができる。
【００３５】
特に、防塵マスク２０を防塵頭衣の内側に取り付けるようにしているため、防塵マスク２０の周縁部から皮膚、鼻汁、唾、化粧類その他の塵埃が外部へ漏出することを抑制でき、しかも、防塵マスクの着脱時における塵埃の漏出も低減することができる。
【００３６】
（第２実施形態）
図４は本発明に係る第２実施形態の防塵マスクの全体構成を示す正面図であり、図５は図４に示す防塵マスクを水平面で切断した状態を示す横断面図である。
この実施形態においては、防塵マスク３０は内側生地３１と外側生地３２とから構成されている。
【００３７】
内側生地３１は、約２０μｍ径のポリエステル繊維を束ねて約１００μｍ径の繊維束とし、この繊維束をメッシュ様に織り上げたものであり、繊維束の間に約３００〜６００μｍの比較的粗い目が形成されたものである。
【００３８】
内側生地３１の周縁部には樹脂製又は繊維質の軸材が縫い込まれてなる補強枠部３３が形成され、防塵マスク３０の全体形状を保持している。
【００３９】
防塵マスク３０の中央部には、上記内側生地３１の表面上に周縁部を縫い付けられた状態の外側生地３２が取付けられている。この外側生地３２は、帝人株式会社製のセルガードツイル（Ｔ３５００１；商品名）であり、約１０μｍ径の繊維を束ねて約１５０μｍ径の繊維束とし、この繊維束を殆ど隙間無く縦横に密に編み上げたものである。
【００４０】
内側生地３１の左右上部及び中央下部には、それぞれ面ファスナ３４，３５，３６が縫い付けられている。この面ファスナ３４，３５，３６は、後述する防塵頭衣に設けられた開口部の開口縁部内側に取付けられた面ファスナに貼着されるようになっており、防塵マスク３０を防塵頭衣に着脱自在に装着できるようにするためのものである。
【００４１】
図６は上記防塵マスクを装着した防塵頭衣の構成を示す斜視図である。この防塵頭衣は、それ自体発塵を防止する特殊繊維により密に編み上げられ、内部の塵埃を外部へと洩らさないように構成され、装着者の頭部を覆う頭部被覆部５０と、装着者の肩、胸等の上半身を覆う首部被覆部６０とからなる。頭部被覆部５０の正面には装着者の目、鼻及び口を露出するための開口部５０ａが設けられている。
【００４２】
開口部５０ａの内側縁部には図示しない面ファスナが左右上部及び中央下部にそれぞれ一つづつ縫い付けられ、防塵マスクに取付けられた面ファスナ３４，３５，３６にそれぞれ貼着される。防塵マスクを装着した図示の状態では、開口部５０ａから装着者の目及び鼻の上部のみが露出するように構成され、装着者の鼻孔及び口孔と両側の頬は防塵マスクによって被覆されるようになっている。
【００４３】
このような防塵頭衣によれば、実質的に装着者の目のみが露出するように構成されるため、図９に示す従来の防塵頭衣のように塵埃を外部へと多く洩らすことがなく、また、防塵マスクをクリーンルーム内で交換しても塵埃が多量に外部へと出ることが抑制される。また、図８に示す従来の防塵頭衣に対しては、鼻孔及び口孔が防塵頭衣自体ではなく防塵マスクによって被覆されるので、息苦しさが解消されるとともに、防塵頭衣を汚すこともなくなる。
【００４４】
このような防塵頭衣によって装着者に装着された防塵マスクの状態を示すものが図７である。装着者の鼻孔及び口孔は直接的には内側生地３１に接触するが、この内側生地の外側に縫いつけられた外側生地３２によって少なくとも正面方向には被覆されるようになっており、鼻孔及び口孔から吐き出される鼻汁や唾を外部に洩らさないように構成されている。装着者の鼻孔及び口孔から発塵する塵埃は外部生地３２によって外部へ漏洩が防止されるが、装着者の呼吸は外部生地３２に突き当たって遮断された分は左右両側の粗い目を備えた内側生地３１を通して出入りするので、例え外側生地３２に極めて防塵性の高い生地を採用したとしても装着者は比較的楽に呼吸することができる。
【００４５】
したがって、本実施形態の防塵マスクによれば、高い防塵性と通気性とを両立することができ、クリーンルームを汚染することなく快適に作業を行うことが可能になる。
【００４６】
また、防塵マスクの周縁部は軸材の挿入によって補強された枠状部が設けられているので、マスクの形状を保持することができ、使用時や洗濯時等に応力が加わっても長期間その形状を保つことができる。
【００４７】
本実施形態においては、粗い目を持つ内側生地の上に防塵性の高い外側生地を重ねるようにして縫い付けて構成しているが、両者を中央で重ねることなく、２枚の内側生地を左右部に、外側生地を中央部に配置して、外側生地の左右両側に内側生地を接続してもよい。
【００４８】
また、本実施形態においては内側生地を装着者の鼻や口に触れるように内側に配置しているが、逆に外側生地を内側に配置してもよい。
【００４９】
実施形態においては、内側生地と外側生地とを縫い付けているが、両者を簡単に取り外せるように、例えば面ファスナ等により両者を重ね合わせる構造としてもよい。この場合には、装着者に直接触れる内側生地のみを容易に交換することができる。ここで、外側生地を逆に内側に装着する場合には、鼻や口に直接触れる外側生地のみを交換するように用いることも可能である。
【００５０】
本実施形態においては、外側生地の周縁部全てを内側生地に対して縫い付けているが、例えば外側生地の左右縁部の縫い付けをしないようにして通気性をさらに向上させ、装着者の息苦しさをより低減することも可能である。
【００５１】
【発明の効果】
以上説明したように本発明によれば以下の効果を奏する。
【００５２】
マスク取付手段により防塵マスクを着脱可能に取付けることができるので、装着者との接触により汚れても防塵マスクを容易に交換することができるとともに、防塵マスクを開口部に内側から装着することによって、防塵マスクの周縁部から外部へ漏れ出る塵埃の量を低減でき、しかも、防塵マスクを交換する際にも防塵衣の内側にある塵埃が外部へ漏れ出ることを抑制できる。
または、面ファスナによって防塵マスクを着脱可能に取り付けることができるように構成されているので着脱作業が容易であり、しかも、この面ファスナは開口縁部の内側において厚さや面積を大きくとることがないため、装着感を損なうことなく設けることができる。
【００５３】
または、防塵衣取付手段により防塵衣の開口部の開口縁部に対して内側から着脱可能に取り付けるようになっていることにより、装着者との接触により汚れても容易に交換することができるとともに、防塵マスクを防塵衣の開口部に内側から装着することによって、防塵マスクの周縁部から外部へ漏れ出る塵埃の量を低減でき、しかも、防塵マスクを交換する際にも防塵衣の内側にある塵埃が外部へ漏れ出ることを抑制できる。
【００５４】
または、密フィルタ部によって装着者の鼻孔及び口孔を被覆しているので、これらの部分からの発塵があっても塵埃の外部への漏洩を防止できるとともに、装着者の呼吸は密フィルタの両側に形成された粗フィルタを通して確保された通気性によって楽に行うことができる。したがって、高い防塵性と通気性とを両立できる防塵マスクを構成できる。
【００５５】
または、密フィルタ部の縁部と粗フィルタ部の縁部とを密閉性良く連続して繋ぎ合わせる必要がなく、密フィルタ部を粗フィルタ部の中央部に重ねた状態で固定するだけでよいため、製造が容易になる。
【００５６】
または、補強枠部によってマスク形状が保持されるため、防塵衣に対する着脱作業が容易になるとともに、防塵フィルタの周縁部の形状が崩れることによる塵埃の漏出を防止することができる。
【００５７】
または、防塵マスクの防塵衣に対する着脱作業を容易に行うことができるとともに、この面ファスナは開口縁部の内側において厚さや面積を大きくとることがないため、装着感を損なうことなく設けることができる。
【図面の簡単な説明】
【図１】本発明に係る防塵衣及び防塵マスクの第１実施形態を示す斜視図である。
【図２】同第１実施形態における防塵衣のみを示す斜視図である。
【図３】同第１実施形態における防塵マスクを示す正面図である。
【図４】本発明に係る防塵マスクの第２実施形態の構造を示す正面図である。
【図５】同第２実施形態の構造を示す横断面図である。
【図６】同第２実施形態の防塵マスクを用いた防塵衣の実施形態（防塵頭衣）の構成を示す斜視図である。
【図７】同第２実施形態の防塵マスクを装着した状態を示す説明図である。
【図８】従来の防塵頭衣の構成を示す斜視図である。
【図９】従来の異なる防塵頭衣の構成を示す斜視図である。
【符号の説明】
２０，３０  防塵マスク
２１  防塵フィルタ
２２，３３  補強枠
２３，２４，２５，３４，３５，３６  面ファスナ（雄型）
３１  内側生地
３２  外側生地
５０  頭部被覆部
５０ａ  開口部
５１，５２，５３  面ファスナ（雌型）
【図１】
0003806977.tif 000002
【図２】
0003806977.tif 000003
【図３】
0003806977.tif 000004
【図４】
0003806977.tif 000005
【図５】
0003806977.tif 000006
【図６】
0003806977.tif 000007
【図７】
0003806977.tif 000008
【図８】
0003806977.tif 000009
【図９】
0003806977.tif 000010